(57)【要約】【課題】消費電力を減少させることができる駆動ユニット及びこれを有する表示装置を提供する。【解決手段】消費電力を減少させることができる駆動ユニット及びこれを有する表示装置において、データドライバには、映像データをデータ電圧に変換して出力するデータ処理部と、データ電圧と所定周期でスイングする共通電圧とを受信し、共通電圧とデータ電圧とのうち、どちらか一つを選択して出力するスイッチング回路がと具備される。タイミングコントローラは、共通電圧の遷移区間の初期１/２区間における特定時点でスイッチング信号を出力する。スイッチング回路は、スイッチング信号に応答して共通電圧を特定時点で出力する。従って、データ電圧の遷移時間を短縮させることができ、その結果、消費電流を減少させることができる。【選択図】図１
2010092043.tif 000002
【特許請求の範囲】
【請求項１】
映像データと、データ制御信号と、ゲート制御信号と、スイッチング信号とを出力するタイミングコントローラと、
前記データ制御信号に基づいて前記映像データをデータ電圧に変換して出力するデータ処理部、及び前記データ電圧と所定周期でスイングする共通電圧とを受信して、前記スイッチング信号に応答して前記共通電圧と前記データ電圧とのうち、どちらか一つを出力するスイッチング回路を含むデータドライバと、
前記ゲート制御信号に応答してゲート電圧を出力するゲートドライバと、
を含み、
前記タイミングコントローラは、前記共通電圧の遷移区間のうち、初期１/２区間における特定の時点で前記スイッチング信号を出力し、
前記スイッチング回路は、前記特定の時点で前記スイッチング信号に応答して前記共通電圧を出力することを特徴とする駆動装置。
【請求項２】
前記共通電圧は、前記データ電圧より大きい振幅を有することを特徴とする請求項１に記載の駆動装置。
【請求項３】
前記共通電圧の前記遷移区間は、最小共通電圧レベルに対応する時点から最小データ電圧レベルに対応する時点までの第１区間と、最大データ電圧レベルに対応する時点から最大共通電圧レベルに対応する時点までの第２区間と、前記第１及び第２区間の間に存在するシェアリング区間と、を含み、
前記特定の時点は、前記初期１/２区間のうち、前記シェアリング区間に含まれることを特徴とする請求項２に記載の駆動装置。
【請求項４】
前記シェアリング区間は、前記データ電圧が表現する階調に対応する区間に分割され、前記特定の時点は、前記共通電圧が現在のデータラインに対応するデータ電圧を反転した電圧の階調レベルを有する時点であることを特徴とする請求項３に記載の駆動装置。
【請求項５】
前記スイッチング回路は、
前記スイッチング信号のうち、第１スイッチング信号に基づいて前記データドライバの出力端子に前記データ電圧を提供する第１スイッチング素子と、
前記第１スイッチング信号と反転した位相を有する第２スイッチング信号に基づいて前記出力端子に前記共通電圧を提供する第２スイッチング素子と、を含むことを特徴とする請求項１に記載の駆動装置。
【請求項６】
前記タイミングコントローラは、前記第１及び第２スイッチング信号を生成して前記スイッチング回路に提供するスイッチング信号生成ユニットを含むことを特徴とする請求項５に記載の駆動装置。
【請求項７】
前記スイッチング信号生成ユニットは、
前記タイミングコントローラの前記現在のデータラインに対応する第１映像データを反転させて第２映像データを出力する反転部と、
前記第２映像データに対応する電圧レベルと前記共通電圧の電圧レベルとを比較して前記共通電圧の前記遷移区間のうち、前記共通電圧が前記第２映像データに対応する電圧レベルを有する時点で比較信号を出力する比較部と、
前記比較信号に基づいて前記第２スイッチング信号を前記第２スイッチング素子に提供する信号生成部と、を含むことを特徴とする請求項６に記載の駆動装置。
【請求項８】
前記比較部は、所定の基準クロックを利用して前記共通電圧の前記遷移区間をカウントし、カウント値が前記第２映像データの階調値に対応すると、前記比較信号を前記信号生成部に出力することを特徴とする請求項７に記載の駆動装置。
【請求項９】
映像データと、データ制御信号と、ゲート制御信号と、スイッチング信号とを出力するタイミングコントローラと、
前記データ制御信号に基づいて前記映像データをデータ電圧に変換して出力するデータ処理部と、前記データ電圧と所定周期でスイングする共通電圧とを受信し、前記スイッチング信号に応答して前記共通電圧と前記データ電圧とのうち、どちらか一つを出力するスイッチング回路と、を含むデータドライバと、
前記ゲート制御信号に応答してゲート電圧を出力するゲートドライバと、
前記ゲート電圧に応答して前記スイッチング回路から出力された前記データ電圧を受信して画素に充電して映像を表示する表示パネルと、
を含み、
前記タイミングコントローラは、前記共通電圧の遷移区間のうち、初期１/２区間における特定の時点で前記スイッチング信号を出力し、
前記スイッチング回路は、前記特定の時点で前記スイッチング信号に応答して前記共通電圧を出力して前記画素をプリチャージすることを特徴とする表示装置。
【請求項１０】
映像データと、データ制御信号と、ゲート制御信号と、スイッチング信号とを生成し、
前記データ制御信号に基づいて前記映像データをデータ電圧に変換し、
第１状態の前記スイッチング信号に応答して前記データ電圧を選択して出力しと、
第２状態の前記スイッチング信号に応答して所定周期でスイングする共通電圧の遷移区間の初期１/２区間における所定時点で前記共通電圧を出力し、
前記ゲート制御信号に応答してゲート信号を出力し、
前記共通電圧に画素をプリチャージし、
前記ゲート信号に応答して前記データ電圧を前記画素に印加して前記データ電圧に対応する映像を表示すること、
を含むことを特徴とする表示装置の駆動方法。
【発明の詳細な説明】
【技術分野】
【０００１】
本発明は、駆動ユニット及びこれを有する表示装置に関し、より詳細には、消費電力を減少させることができる駆動ユニット及びこれを有する表示装置に関する。
【背景技術】
【０００２】
一般的に、液晶表示装置は、カラーフィルタ基板と、カラーフィルタ基板と結合するアレイ基板と、カラーフィルタ基板とアレイ基板との間に介在された液晶層とを含む。カラーフィルタ基板には、カラーフィルタ層と共通電極とが具備され、アレイ基板には、共通電極と対向する画素電極が具備される。
【０００３】
ここで、共通電極には、共通電圧が印加され、画素電極には、データ電圧が印加される。従って、画素電極と共通電極との間には、データ電圧と共通電圧との電位差により電界が形成される。電界によって液晶層に含まれた液晶分子が配向されて、その結果、液晶表示装置は、液晶層の光透過度を調節して映像を表示することができる。
【０００４】
しかし、フレーム毎に共通電圧を基準にして同じ極性を有するデータ電圧が連続して印加されると、液晶層に含まれた液晶分子が劣化する。従って、最近の液晶表示装置は、このような液晶劣化を防止するために反転駆動方式を採用している。
【０００５】
反転駆動方式には、フレーム反転駆動方式、及びライン反転駆動方式が存在する。フレーム反転駆動方式は、直流の共通電圧に対してデータ電圧の極性をフレーム毎に反転させる方式であり、ライン反転駆動方式は、交流の共通電圧に対してデータ電圧の極性を一つ以上のライン単位で反転させる方式である。
【０００６】
液晶表示装置が反転駆動方式に駆動されることによって、液晶劣化現状が除去される。しかし、データ電圧の極性をライン単位で反転させると、データ電圧の遷移時間が長くなって、消費電流が増加する。
【先行技術文献】
【特許文献】
【０００７】
【特許文献１】韓国特許公開第２００８−００１７９８８号公報
【発明の概要】
【発明が解決しようとする課題】
【０００８】
本発明は、上述の問題点に鑑みてなされたもので、その目的は、消費電力を減少させるための駆動ユニットを提供することにある。
【０００９】
本発明の他の目的は、前記駆動ユニットを採用する表示装置を提供することにある。
【００１０】
本発明の他の目的は、前記表示装置を駆動するために適用される方法を提供することにある。
【課題を解決するための手段】
【００１１】
上述の目的を達成するため、本発明による駆動ユニットは、タイミングコントローラと、データドライバと、ゲートドライバと、を含む。タイミングコントローラは、映像データと、データ制御信号と、ゲート制御信号と、スイッチング信号とを出力する。データドライバは、データ処理部及びスイッチング回路を含む。データ処理部は、データ制御信号に基づいて映像データをデータ電圧に変換して出力し、スイッチング回路は、データ電圧と所定の周期でスイングする共通電圧とを受信し、スイッチング信号に応答して共通電圧とデータ電圧とのうち、どちらか一つを出力する。
【００１２】
ゲートドライバは、ゲート御信号に応答してゲート電圧を出力する。
【００１３】
タイミングコントローラは、共通電圧の遷移（ｔｒａｎｓｉｔｉｏｎ）区間の初期１/２区間における特定の時点でスイッチング信号を出力する。スイッチング回路は、スイッチング信号に応答して前記特定の時点で共通電圧を出力する。
【００１４】
本発明による表示装置は、タイミングコントローラと、データドライバと、ゲートドライバと、表示パネルと、を含む。タイミングコントローラは、映像データと、データ制御信号と、ゲート制御信号と、スイッチング信号とを出力する。データドライバは、データ処理部及びスイッチング回路を含む。データ処理部は、データ制御信号に基づいて映像データをデータ電圧に変換して出力し、スイッチング回路は、データ電圧と所定周期でスイングする共通電圧とを受信し、スイッチング信号に応答して共通電圧とデータ電圧とのうち、どちらか一つを選択して出力する。ゲートドライバは、ゲート制御信号に応答してゲート電圧を出力する。表示パネルは、ゲート電圧に応答してスイッチング回路から出力されたデータ電圧及び共通電圧のうち、どちらか一つを受信して画素に充電して映像を表示する。
【００１５】
タイミングコントローラは、共通電圧の遷移区間の初期１/２区間における特定の時点でスイッチング信号を出力する。スイッチング回路は、スイッチング信号に応答して前記特定の時点で共通電圧を出力して画素をプリチャージさせる。
【００１６】
本発明による表示装置の駆動方法は、映像データと、データ制御信号と、ゲート制御信号と、スイッチング信号とを生成し、データ制御信号に基づいて映像データをデータ電圧に変換し、第１状態のスイッチング信号に応答してデータ電圧を出力し、第２状態のスイッチング信号に応答して所定周期でスイングする共通電圧の遷移区間の初期１/２区間における特定の時点で共通電圧を出力し、ゲート制御信号に応答してゲート信号を出力し、共通電圧で画素をプリチャージし、ゲート信号に応答してデータ電圧を画素に印加してデータ電圧に対応する映像を表示すること、を含む。
【発明の効果】
【００１７】
このような駆動ユニット及びこれを有する表示装置によれば、タイミングコントローラは、共通電圧の遷移区間において、データ処理部から出力される次のデータ電圧の電圧レベルに近接した特定の時点でスイッチング信号を出力し、データドライバに具備されたスイッチング回路は、スイッチング信号に応答して共通電圧を前記特定の時点で一時的に出力する。
【００１８】
従って、データ電圧の遷移時間を短縮させることができて、その結果、駆動ユニットの消費電流を減少させることができる。
【図面の簡単な説明】
【００１９】
【図１】本発明の一実施形態による液晶表示パネルの駆動ユニットを示すブロック図である。
【図２】図１に示した駆動ユニットの共通電圧及びデータ電圧を示す波形図である。
【図３】図１に示した駆動ユニットのスイッチング信号生成ユニットのブロック図である。
【図４】図３に示したスイッチング信号生成ユニットの現在の映像データ及び次の映像データの階調を示す図である。
【図５】６４階調に対応する共通電圧の遷移区間を示す図である。
【図６】図１に示した駆動ユニットのスイッチング回路の回路図である。
【図７】本発明の他の実施形態による液晶表示装置のブロック図である。
【発明を実施するための形態】
【００２０】
以下、図面を参照して本発明の望ましい実施形態をより詳細に説明する。
【００２１】
図１は、本発明の一実施形態による液晶表示パネルの駆動ユニットを示すブロック図であり、図２は、図１に示した駆動ユニットの共通電圧及びデータ電圧を示す波形図である。
【００２２】
図１を参照すると、駆動ユニット２５０は、タイミングコントローラ１００と、データドライバ２３０と、ゲートドライバ２４０と、を含む。
【００２３】
タイミングコントローラ１００は、外部装置からデータイネーブル信号ＤＥと、垂直同期信号Ｖｓｙｎｃと、水平同期信号Ｈｓｙｎｃと、メインクロック信号ＭＣＬＫと、映像データＩ-ｄａｔａとを受信する。タイミングコントローラ１００は、映像データＩ-ｄａｔａをレッド、グリーン、ブルーデータＲＧＢ-ｄａｔａに変換してデータドライバ２３０に提供する。タイミングコントローラ１００は、データイネーブル信号ＤＥと、メインクロック信号ＭＣＬＫと、垂直同期信号Ｖｓｙｎｃと、水平同期信号Ｈｓｙｎｃとを利用してデータ制御信号及びゲート制御信号を生成して、データドライバ２３０とゲートドライバ２４０とにそれぞれ出力する。又、タイミングコントローラ１００は、第１及び第２スイッチング信号Ｓ１、Ｓ２を生成してデータドライバ２３０に提供するスイッチング信号生成ユニット１５０を含む。スイッチング信号生成ユニット１５０については、図３を参照して具体的に説明する。
【００２４】
データドライバ２３０は、データ処理部２１０と、スイッチング回路２２０と、を含む。データ処理部２１０は、データ制御信号及びレッド、グリーン、ブルーデータＲＧＢ-ｄａｔａをタイミングコントローラ１００から受信して複数のデータ電圧Ｖｄａｔａ１〜Ｖｄａｔａｍを出力する。ここで、データ御信号は、水平開始信号ＳＴＨと、反転信号ＲＥＶと、出力開始信号ＴＰと、を含む。水平開始信号ＳＴＨは、データドライバ２３０の動作を開始する信号であり、反転信号ＲＥＶは、データ電圧Ｖｄａｔａ１〜Ｖｄａｔａｍの極性を反転させる信号であり、出力開始信号ＴＰは、データ処理部２１０からデータ電圧Ｖｄａｔａ１〜Ｖｄａｔａｍが出力されるタイミングを決定する信号である。
【００２５】
データ処理部２１０から出力されたデータ電圧Ｖｄａｔａ１〜Ｖｄａｔａｍは、スイッチング回路２２０に提供される。スイッチング回路２２０は、共通電圧Ｖｃｏｍを受信し、タイミングコントローラ１００から第１及び第２スイッチング信号Ｓ１、Ｓ２を受信する。又、スイッチング回路２２０は、データドライバ２３０の出力端子ＯＴ１〜ＯＴｍに接続される。
【００２６】
スイッチング回路２２０は、第１及び第２スイッチング信号Ｓ１、Ｓ２に応答して出力端子ＯＴ１〜ＯＴｍにデータ電圧Ｖｄａｔａ１〜Ｖｄａｔａｍと共通電圧Ｖｃｏｍとのうち、どちらか一つを選択して出力する。図２に示すように、共通電圧Ｖｃｏｍは、所定周期でスイングする交流電圧である。図２では、複数のデータ電圧Ｖｄａｔａ１〜Ｖｄａｔａｍのうち、第１データ電圧Ｖｄａｔａ１の波形のみを一例として示した。しかし、残りのデータ電圧もこれと類似の形態を有する。
【００２７】
図２を参照すると、共通電圧Ｖｃｏｍは、第１振幅ｗ１を有し、第１データ電圧Ｖｄａｔａ１は、第１振幅ｗ１より小さい第２振幅ｗ２を有する。特に、第１データ電圧Ｖｄａｄａ１は、共通電圧Ｖｃｏｍのスイング範囲内でスイングする。
【００２８】
共通電圧Ｖｃｏｍの一周期は、所定電圧レベルを維持する電圧維持区間Ｈ１と、異なる電圧レベルに変化する遷移区間Ｔ１とを含む。第１データ電圧Ｖｄａｔａ１は、共通電圧Ｖｃｏｍとは反対の位相にスイングし、共通電圧Ｖｃｏｍに対する第１データ電圧Ｖｄａｔａ１の極性は、共通電圧Ｖｃｏｍの半周期単位で反転する。共通電圧Ｖｃｏｍの半周期は、１水平走査区間と同一であり、１水平走査区間は、後述される各ゲート信号のハイ区間として定義されることができる。
【００２９】
ここで、現在のゲート信号のハイ区間に出力されたデータ電圧を現在のデータ電圧Ｖｄａｔａ（ｉ）として定義し、次のゲート信号のハイ区間に出力されたデータ電圧を次のデータ電圧Ｖｄａｔａ（ｉ+１）として定義する。ここで、現在のデータ電圧Ｖｄａｔａ（ｉ）の極性と次のデータ電圧Ｖｄａｔａ（ｉ+１）の極性とは、図２に示すように互いに反対である。
【００３０】
現在のデータ電圧Ｖｄａｔａ（ｉ）と次のデータ電圧Ｖｄａｔａ（ｉ+１）とは、互いに異なる極性を有するので、遷移するのに所定の時間が所要かかる。所要時間が長くなるほど駆動ユニット２５０の消費電流が増加する。
【００３１】
従って、スイッチング回路２２０は、電圧維持区間Ｈ１では、現在のデータ電圧Ｖｄａｔａ（ｉ）を出力し、共通電圧Ｖｃｏｍの極性が反転する遷移区間Ｔ１では、遷移区間Ｔ１のうちの初期の１/２区間内の所定時点に対応する電圧レベルを有する共通電圧Ｖｃｏｍを出力するようにスイッチング動作を実行する。スイッチング回路２２０は、データ電圧の遷移時間を減少させるために遷移区間Ｔ１のうち、共通電圧Ｖｃｏｍの電圧レベルが次のデータ電圧Ｖｄａｔａ（ｉ+１）に最も近い時点Ｐ１（図２を参照）で現在のデータ電圧Ｖｄａｔａ（ｉ）の代わりに共通電圧Ｖｃｏｍを選択してデータドライバ２３０の第１出力端子ＯＴ１に出力する。
【００３２】
図２に示したように、共通電圧Ｖｃｏｍは、第１データ電圧Ｖｄａｔａ１と反対の位相を有しており、遷移区間Ｔ１において、後期の１/２区間より初期の１/２区間で次のデータ電圧Ｖｄａｔａ（ｉ+１）により近接した電圧レベルを有する。従って、所定の時点Ｐ１で現在のデータ電圧Ｖｄａｔａ（ｉ）の代わりに共通電圧Ｖｃｏｍを出力することによって、現在のデータ電圧Ｖｄａｔａ（ｉ）が次のデータ電圧Ｖｄａｔａ（ｉ+１）に遷移するのに必要な時間を短縮させることができて、その結果、駆動ユニット２５０における消費電流を減少させることができる。
【００３３】
図１を参照すると、ゲートドライバ２４０は、ゲート制御信号に応答して、複数のゲート信号ＧＳ１〜ＧＳｎを順次に出力する。ゲート制御信号は、垂直開始信号ＳＴＶと、第１及び第２クロック信号ＣＫＶ、ＣＫＶＢとを含む。垂直開始信号ＳＴＶは、ゲートドライバ２４０の動作を開始する信号であり、第１及び第２クロック信号ＣＫＶ、ＣＫＶＢは、ゲート駆動部２４０からゲート信号ＧＳ１〜ＧＳｎが順次に出力されるタイミングを決定する信号である。
【００３４】
図３は、図１に示したスイッチング信号生成ユニットのブロック図であり、図４は、図３に示した現在の映像データ及び次の映像データの階調を示す図である。
【００３５】
図３を参照すると、スイッチング信号生成ユニット１５０は、反転部１１０と、比較部１２０と、信号生成部１３０と、を含む。
【００３６】
反転部１１０は、インバータ１１１を含む。反転部１１０は、タイミングコントローラ１００から現在の映像データｄａｔａ（ｉ）を受信し、インバータ１１１を利用して現在の映像データｄａｔａ（ｉ）を反転して、反転されたデータを次の映像データｄａｔａ（ｉ+１）を予測するための反転映像データとして出力する。
【００３７】
図４を参照すると、６４個の階調、即ち０から６３階調が表示され、図示してはいないが、該当階調に対応する電圧が存在する。６４個の階調の各々は、直列接続された複数の抵抗２７０によって、互いに異なる電圧レベルを有する。６４個の階調の各々には、スイッチング素子２６０が接続されており、外部から供給された６ｂｉｔ映像データの各ビット状態によってスイッチング素子２６０がオン／オフされる。例えば、“１０１０１１”の映像データが入力されると、各ビットに該当するスイッチング素子２６０がオンして６３階調のうちの４３番目の階調に対応する電圧がデータ電圧として出力される。
【００３８】
本発明の一例として、現在の映像データｄａｔａ（ｉ）が４３番目の階調に対応し、現在の映像データｄａｔａ（ｉ）が共通電圧Ｖｃｏｍに対して正極性を有すると仮定する。又、反転映像データｄａｔａ（ｉ+１）は現在の映像データｄａｔａ（ｉ）と異なる極性を有するが、同一の階調に表示されると仮定すると、反転映像データｄａｔａ（ｉ+１）は、２０番目の階調に対応する。
【００３９】
従って、“１０１０１１”の現在の映像データｄａｔａ（ｉ）が反転部１１０に入力されると、反転部１１０は、“０１０１００”の反転映像データｄａｔａ（ｉ+１）を出力する。
【００４０】
反転映像データｄａｔａ（ｉ+１）、即ち次の映像データｄａｔａ（ｉ+１）が現在の映像データｄａｔａ（ｉ）と実質的に同一の階調を表示しなくても、反転部１１０によって生成された反転映像データｄａｔａ（ｉ+１）は、次の映像データと同一の極性を有するので、反転映像データｄａｔａ（ｉ+１）に対応する電圧が次の映像データに対応する電圧に到達するために必要な時間が実質的に減少する。これによって、消費電力を節減することができる。
【００４１】
一方、比較部１２０は、反転映像データｄａｔａ（ｉ+１）及び共通電圧Ｖｃｏｍを受信し、所定の基準クロックＲＣＬＫを利用して共通電圧Ｖｃｏｍの遷移区間Ｔ１をカウントする。比較部１２０は、カウント値が反転部１１０から出力された反転映像データｄａｔａ（ｉ+１）の階調値に一致するときに比較信号ＣＯＭ１を出力する。
【００４２】
図５は、６４階調に対応する共通電圧の遷移区間を示す図である。
【００４３】
図５に示したように、共通電圧Ｖｃｏｍの遷移区間Ｔ１は、最小共通電圧レベルＶｃｏｍ-ｍｉｎに対応する時点から最小データ電圧レベルＶｄａｔａ-ｍｉｎに対応する時点までの第１区間ａ１と、最大データ電圧レベルＶｄａｔａ-ｍａｘから最大共通電圧レベルＶｃｏｍ-ｍａｘに対応する時点までの第２区間ａ２と、第１及び第２区間ａ１、ａ２の間に存在するシェアリング区間ｃ１と、を含む。
【００４４】
ここで、シェアリング区間ｃ１は、データ電圧が表現することができる階調（例えば、６４階調“００００００”から“１１１１１１まで”）に対応する区間に分割される。
【００４５】
遷移区間Ｔ１のうち、初期の１/２区間は、シェアリング区間ｃ１の一部分を含む。初期１/２区間に含まれるシェアリング区間ｃ１のうち、所定の時点で共通電圧Ｖｃｏｍは、次のデータ電圧Ｖｄａｔａ（ｉ+１）と一致する電圧レベルを有する場合がある。前記の所定の時点で、共通電圧Ｖｃｏｍの充電と現在のデータ電圧Ｖｄａｔａ（ｉ）の充電とを共有すると、現在のデータ電圧Ｖｄａｔａ（ｉ）が次のデータ電圧Ｖｄａｔａ（ｉ+１）に到達する時間を短縮させることができる。
【００４６】
一方、この所定の時点を算出するために、比較部１２０は、シェアリング区間ｃ１のカウント値と次のデータ電圧Ｖｄａｔａ（ｉ+１）に対応する階調値とが一致するか比較する。カウント値と次のデータ電圧Ｖｄａｔａ（ｉ+１）に対応する階調値とが一致する時点（例えば、階調値が“０１０１００”である時点）で比較部１２０は、比較信号ＣＯＭ１を出力する。
【００４７】
再び図３を参照すると、信号生成部１３０は、比較信号ＣＯＭ１に基づいて、第１及び第２スイッチング信号Ｓ１、Ｓ２を生成し、生成された第１及び第２スイッチング信号Ｓ１、Ｓ２は、データドライバ２３０に具備されたスイッチング回路２２０に提供される。ここで、第１及び第２スイッチング信号Ｓ１、Ｓ２は、１ｂｉｔ信号であり、互いに反転した値を有する。
【００４８】
第１スイッチング信号Ｓ１は、電圧維持区間Ｈ１ではハイ状態１を有し、遷移区間Ｔ１の大部分でもハイ（ｈｉｇｈ）状態１を維持する。シェアリング区間ｃ１のカウント値が次のデータ電圧Ｖｄａｔａ（ｉ+１）に対応する階調値と一致する区間で、比較部１２０から提供された比較信号ＣＯＭ１に応答して、第１スイッチング信号Ｓ１は、ロー（ｌｏｗ）状態０を有する。一方、第２スイッチング信号Ｓ２は、第１スイッチング信号Ｓ１が反転した状態を有するので、第２スイッチング信号Ｓ２は、シェアリング区間ｃ１のカウント値が次のデータ電圧Ｖｄａｔａ（ｉ+１）に対応する階調値と一致する区間でのみハイ状態１を有する。
【００４９】
図６は、図１に示したスイッチング回路の回路図である。図６を参照すると、スイッチング回路２２０は、複数の第１スイッチング素子ＳＴ１１〜ＳＴ１ｍと、複数の第２スイッチング素子ＳＴ２１〜ＳＴ２ｍと、を含む。
【００５０】
複数の第１スイッチング素子ＳＴ１１〜ＳＴ１ｍは、データドライバ２３０のデータ処理部２１０から出力された複数のデータ電圧Ｖｄａｔａ１〜Ｖｄａｔａｍを各々に受信し、データドライバ２３０の複数の出力端子ＯＴ１〜ＯＴｍに各々接続される。具体的に、複数の第１スイッチング素子ＳＴ１１〜ＳＴ１ｍの各々は、対応するデータ電圧を受信する入力電極と、対応する出力端子ＯＴ１〜ＯＴｍに接続される出力電極と、第１スイッチング信号Ｓ１を受信する制御電極とを含む。
【００５１】
複数の第２スイッチング素子ＳＴ２１〜ＳＴ２ｍは、共通電圧Ｖｃｏｍを受信し、複数の出力端子ＯＴ１〜ＯＴｍに各々に接続される。具体的に、複数の第２スイッチング素子ＳＴ２１〜ＳＴ２ｍの各々は、共通電圧Ｖｃｏｍを受信する入力電極と、対応する出力端子ＯＴ１〜ＯＴｍに接続された出力電極と、第２スイッチング信号Ｓ２を受信する制御電極とを含む。
【００５２】
図３に示したように、第１及び第２スイッチング信号Ｓ１、Ｓ２は、信号生成部１３０で生成されて、互いに反転した位相を有する。
【００５３】
複数の第２スイッチング素子ＳＴ２１〜ＳＴ２ｍは、シェアリング区間ｃ１において、カウント値が次のデータ電圧Ｖｄａｔａ（ｉ+１）に対応する階調値と一致する区間で第２スイッチング信号Ｓ２に応答してオンする。従って、データドライバ２３０の出力端子ＯＴ１〜ＯＴｍには、データ電圧Ｖｄａｔａ１〜Ｖｄａｔａｍの代りに共通電圧Ｖｃｏｍが一時的に出力される。ここで、第１スイッチング信号Ｓ１によって複数の第１スイッチング素子ＳＴ１１〜ＳＴ１ｍは、オフされて、データ電圧Ｖｄａｔａ１〜Ｖｄａｔａｍは、出力端子ＯＴ１〜ＯＴｍに提供されない。
【００５４】
第１スイッチング信号Ｓ１がハイ状態に転換されると、第１スイッチング信号Ｓ１によって複数の第１スイッチング素子ＳＴ１１〜ＳＴ１ｍがオンして、データドライバ２３０の出力端子ＯＴ１〜ＯＴｍには、またデータ電圧Ｖｄａｔａ１〜Ｖｄａｔａｍが出力される。
【００５５】
このように、データ電圧の極性が一水平走査区間の単位で反転される場合、次のデータ電圧に近接した共通電圧の充電と現在のデータ電圧の充電とを共有することによって、現在のデータ電圧が次のデータ電圧に遷移するのに必要な時間を短縮させることができ、その結果、消費電流を節減することができる。
【００５６】
図７は、本発明の他の実施形態による液晶表示装置のブロック図である。但し、図７に示した構成要素のうち、図１に示した構成要素と同一の構成要素に対しては、同一の参照符号を示し、それに対する具体的な説明は省略する。
【００５７】
図７を参照すると、液晶表示装置４００は、映像を表示する液晶表示パネル３００と、液晶表示パネル３００を駆動する駆動ユニット２５０（図１に示す）と、を含む。駆動ユニット２５０は、図１と同一の構成を有するので、駆動ユニット２５０に対しる説明は省略する。
【００５８】
液晶表示パネル３００には、複数のデータラインＤＬ１〜ＤＬｍ及び複数のゲートラインＧＬ１〜ＧＬｎが具備される。複数のデータラインＤＬ１〜ＤＬｍと複数のゲートラインＧＬ１〜ＧＬｎとは、互いに絶縁されて交差して、液晶表示パネル３００に複数の画素領域を定義する。各画素領域には、薄膜トランジスタＴＦＴと、液晶キャパシタＣｌｃと、ストレージキャパシタＣｓｔとで形成された画素が具備される。薄膜トランジスタＴＦＴは、対応するデータラインに接続されたソース電極と、対応するゲートラインに接続されたゲート電極と、液晶キャパシタＣｌｃの下部電極である画素電極に接続されたドレイン電極とを有する。液晶キャパシタＣｌｃとストレージキャパシタＣｓｔとは、ドレイン電極に並列接続される。
【００５９】
液晶キャパシタＣｌｃの上部電極である共通電極は、液晶層を間に置いて、画素電極と対向し、共通電圧Ｖｃｏｍを受信する。図７に示したように、共通電極に提供された共通電圧Ｖｃｏｍはデータドライバ２３０のスイッチング回路２２０にも提供される。
【００６０】
データドライバ２３０は、液晶表示パネル３００に具備された複数のデータラインＤＬ１〜ＤＬｍに電気的に接続され、ゲートドライバ２４０は、液晶表示パネル３００に具備された複数のゲートラインＧＬ１〜ＧＬｎに電気的に接続される。
【００６１】
データドライバ２３０は、第２スイッチング信号Ｓ２に応答して、共通電圧Ｖｃｏｍが次のデータ電圧に対応する電圧レベルを有するときに一時的に共通電圧Ｖｃｏｍを出力し、残りの区間では、第１スイッチング信号Ｓ１に応答して、データ電圧Ｖｄａｔａ１〜Ｖｄａｔａｍを出力する。
【００６２】
従って、データ電圧の極性が一つのゲートライン単位毎に反転される場合、共通電圧Ｖｃｏｍの遷移区間のうち、共通電圧Ｖｃｏｍが次のデータ電圧に近接した電圧レベルを有する時点で共通電圧Ｖｃｏｍを出力することによって、次のデータラインＤＬ１〜ＤＬｍが共通電圧Ｖｃｏｍにプリチャージされる。これによって、各画素に充電された現在のデータ電圧が次のデータ電圧に遷移する時間を短縮させることができて、その結果、消費電流を節減することができる。
【００６３】
ゲートドライバ２４０は、複数のゲート信号を順次に出力して、複数のゲートラインＧＬ１〜ＧＬｎに印加する。従って、液晶表示パネル３００に具備され、ゲートラインに接続された画素が画素行単位で順次にオンされ、オンされた画素は、データドライバ２３０からデータ電圧Ｖｄａｔａ１〜Ｖｄａｔａｍを受信して望みの映像を表示する。
【００６４】
このような駆動ユニット及びこれを有する表示装置によると、タイミングコントローラは、共通電圧の遷移区間のうち、データ処理部から出力される次のデータ電圧の電圧レベルに近接した特定の時点でスイッチング信号を出力し、データドライバに具備されたスイッチング回路は、スイッチング信号に応答して共通電圧を前記特定の時点で一時的に出力する。
【００６５】
従って、データ電圧の遷移時間を短縮させることができて、その結果、消費電流を減少させることができる。
【００６６】
以上、実施形態を参照して説明したが、該当技術分野の熟練された当業者は、下記の特許請求の範囲に記載された本発明の思想及び領域から逸脱しない範囲内で本発明を多様に修正及び変更させることができることを理解することができる。
【符号の説明】
【００６７】
１００      タイミングコントローラ
１５０      スイッチング信号生成ユニット
２１０      データ処理部
２２０      スイッチング回路
２３０      データドライバ
２４０      ゲートドライバ
２５０      駆動ユニット
【図１】
2010092043.tif 000003
【図２】
2010092043.tif 000004
【図３】
2010092043.tif 000005
【図４】
2010092043.tif 000006
【図５】
2010092043.tif 000007
【図６】
2010092043.tif 000008
【図７】
2010092043.tif 000009